(57)【要約】【課題】広告紙の水平を維持したままで、この広告紙を素早く固定することのできる広告吊り具を提供する。【解決手段】広告吊り具１０に、板ばね３により付勢された一方の広告はさみ２を、他方の広告はさみ１に対してすきまを開けた状態で掛止する係合手段（固定側係合部材４および可動側係合部材５）を設けるとともに、これら係合手段が配置された広告吊り具１０の中央部から長手方向いずれか一方の端部に向けて、ビス７を支点とする係合解除レバー６を配設する。以上の構成により、本発明の広告吊り具は、広告紙を水平に維持した両手を離すことなく、正確かつスピーディに広告紙の交換を行なうことができる。【選択図】図１
2007094019.tif 000002
【特許請求の範囲】
【請求項１】
互いに隣接して平行に配置された一対の広告はさみと、一方の広告はさみを他方の広告はさみに向かって付勢する付勢手段とを備え、これら広告はさみどうしの間に、広告紙の上部を挟み込んで固定する広告吊り具であって、
前記付勢された一方の広告はさみを、他方の広告はさみに対してすきまを開けた状態で掛止する係合手段が形成されているとともに、前記広告はさみの長手方向いずれか一方の端部に、前記係合手段の係合を一動作で解除する係合解除手段が配設されていることを特徴とする広告吊り具。
【請求項２】
前記係合解除手段が、前記係合手段から広告はさみの長手方向いずれか一方の端部に向かって延設されたレバーであることを特徴とする請求項１に記載の広告吊り具。
【発明の詳細な説明】
【技術分野】
【０００１】
本発明は、鉄道やバス等の車両内や商業施設等の店内で、シートやポスタなどの広告紙を吊り下げて掲示するのに用いられる広告吊り具に関する。
【背景技術】
【０００２】
鉄道車両内におけるいわゆる「中吊り」広告に使用される広告吊り具として、図５の外観斜視図に示すように、客室天井に固定された固定側広告はさみ１１と、この固定側広告はさみ１１に隣接して平行に配置された可動側広告はさみ１２との間に、ポスタ等の広告紙Ｐの上部（上辺）を挟み込んで吊り下げるタイプのものが用いられている（例えば、特許文献１等を参照。）。
【０００３】
図６（ａ）は、従来の広告吊り具の一端部の構成を示す図であり、図６（ｂ）は、その開閉状態を示す図６（ａ）のＺ−Ｚ線矢視断面図である。
この広告吊り具は、客室天井の枕木方向に固定された固定側広告はさみ１１と、この固定側広告はさみ１１にヒンジ１３を介して取り付けられた可動側広告はさみ１２と、この可動側広告はさみ１２を固定側広告はさみ１１に向かって付勢する板ばね１４等を主体として構成されている。
【０００４】
シートやポスタなどの広告紙Ｐは、図６（ｂ）の仮想線のように、付勢された可動側広告はさみ１２を固定側広告はさみ１１に対してすきまを開けた状態（すなわち広告はさみ１２を開いた状態）で所定位置にセットされ、可動側広告はさみ１２を元の位置に戻すことにより、その上部（上辺）がこれら広告はさみ１１，１２どうしの間に挟持されている。なお、図中の符号１１ａは、広告紙Ｐの固定を確実にするための爪部である。
【０００５】
また、別の構成の広告吊り具として、図７の断面図に示すように、ヒンジ２３を介して広告はさみ２１，２２を回動自在とし、ヒンジ２３の内部にコイルばね２４を設けて閉じる方向に附勢するとともに、一方の広告はさみ２１の内面に止めクイ２１ａを、他方の広告はさみ２２の内面に凹部２２ａを設けたものもある。
【特許文献１】実開昭５５−４３９２７号公報
【発明の開示】
【発明が解決しようとする課題】
【０００６】
ところで、以上のような従来の広告吊り具における広告紙（ポスタ等）の交換作業は、付勢された一方の広告はさみを開放した状態で、これら広告はさみに間に広告紙の上部を略水平に挟み込み、この広告紙の水平を維持したままで、片手で前記広告はさみを閉じるという複雑な動作が必要であり、作業中に広告紙の位置（水平）がずれてしまう場合があった。
【０００７】
本発明は、上記する課題に対処するためになされたものであり、広告紙の水平を維持したままで、この広告紙を素早く固定することのできる広告吊り具を提供することを目的としている。
【課題を解決するための手段】
【０００８】
前記の目的を達成するために、請求項１に記載の発明は、互いに隣接して平行に配置された一対の広告はさみと、一方の広告はさみを他方の広告はさみに向かって付勢する付勢手段とを備え、これら広告はさみどうしの間に、広告紙の上部を挟み込んで固定する広告吊り具であって、前記付勢された一方の広告はさみを、他方の広告はさみに対してすきまを開けた状態で掛止する係合手段が形成されているとともに、前記広告はさみの長手方向いずれか一方の端部に、前記係合手段の係合を一動作で解除する係合解除手段が配設されていることを特徴とする。
【０００９】
本発明は、シートやポスタなどの広告紙を吊り下げて掲示するのに用いられる広告吊り具に、広告紙を両手で水平に支持したまま、ワンタッチで広告はさみを閉じることのできる機構を設けることによって、所期の目的を達成しようとするものである。
【００１０】
すなわち、請求項１に記載の発明によれば、付勢された一方の広告はさみを、他方の広告はさみに対してすきまを開けた状態で掛止する係合手段を設けることにより、この広告吊り具は、両手を使って、広告紙の位置（水平）合わせを容易に行なうことができる。
【００１１】
また、この広告吊り具は、広告はさみの長手方向いずれか一方の端部に、前記係合手段の係合を一動作で解除する係合解除手段が配設されていることから、広告紙を水平に維持した両手を離すことなく、広告紙を素早く固定することが可能になる。従って、本発明の広告吊り具は、正確かつスピーディに広告紙の交換を行なうことができる。
【００１２】
ここで、前記係合解除手段が、前記係合手段から広告はさみの長手方向いずれか一方の端部に向かって延設されたレバーである構成を好適に採用することができる（請求項２）。
【００１３】
すなわち、本発明における係合解除手段は種々の構造が考えられるが、部品点数の少なさや加工の容易さ等、コストの上昇を最小限に抑えることを考慮すると、簡易な「てこ」の構造により前記係合手段の係合をワンタッチで解除することのできるレバー方式が最も好ましい。
【発明の効果】
【００１４】
以上のように、本発明の広告吊り具によれば、広告はさみの間に挟み込む広告紙の位置合わせが容易になるとともに、広告紙の交換に要する作業時間を短縮することが可能になる。
【発明を実施するための最良の形態】
【００１５】
以下、図面を参照しつつこの発明を実施するための形態について説明する。
図１（ａ）は、本発明の実施形態における広告吊り具をレール方向から見た正面図であり、図１（ｂ）は、この広告吊り具を車両下面側から見た図である。また、図２および図３は、この広告吊り具の広告はさみの開閉状態を示す図１（ａ）のＸ−Ｘ線矢視断面図およびＹ−Ｙ線矢視断面図である。
【００１６】
本実施形態における広告吊り具も、鉄道車両内における「中吊り」広告に用いられるものであり、その基本的な構成は従来の広告吊り具と同様である。この広告吊り具１０は、客室天井の枕木方向に固定された固定側広告はさみ１と、この固定側広告はさみ１に揺動可能に取り付けられた可動側広告はさみ２と、この可動側広告はさみ２を固定側広告はさみ１に向かって付勢する板ばね３等を主体として構成されている。
【００１７】
また、シートやポスタなどの広告紙（図示省略）は、図３（ｂ）のように、付勢された可動側広告はさみ２を固定側広告はさみ１に対してすきまを開けた状態（広告はさみ２を開いた状態）でこれらの間に挿入され、図３（ａ）のように、可動側広告はさみ２を元の位置に戻すことにより、その上部（上辺）がこれら広告はさみ１，２どうしの間に挟持されて固定される。なお、広告紙の固定を確実なものとすべく、可動側広告はさみ２の先端には爪部２ａが、固定側広告はさみ１にはスリット１ａが設けられている。
【００１８】
本実施形態における広告吊り具１０の特徴は、板ばね３により付勢された可動側広告はさみ２を開いた状態で掛止する係合手段として、広告吊り具１０の略中央に、固定側係合部材４と可動側係合部材５が配設されているとともに、これら固定側係合部材４および可動側係合部材５が配置された広告吊り具１０の中央から端部（図示左方）にかけて、ビス７を支点とする係合解除レバー６が配設されている点である。
【００１９】
次に、この広告吊り具１０を開閉する構造について説明する。
可動側係合部材５は、図２（ａ）のように、可動側広告はさみ２の内側面に溶接等により固定されており、その略中央に設けられた穴５ａには、固定側係合部材４の一部が挿通されている。また、固定側係合部材４は、全体として略コの字状であり、一端側が固定側広告はさみ１の内側面に固定されているとともに、他端側端部４ａの先端は、前記可動側係合部材５の穴５を突き抜けて、可動側係合部材５の内側面に接触している。このような構成を有する広告吊り具１０において、板ばね３の付勢に抗って一方の可動側広告はさみ２を開いた際は、図２（ｂ）のように、固定側係合部材４の他端側端部４ａが可動側係合部材５の穴５ａの縁部５ｂに引っ掛かり（すなわち係合して）、この可動側広告はさみ２が固定側広告はさみ１に対してすきまを開けた状態で掛止される。
【００２０】
また、係合解除レバー６は、図１（ａ）のように、広告吊り具１０の長手方向中央寄りでかつ前記可動側係合部材５と固定側係合部材４の係合部位の下側に位置する持ち上げ部６ａと、可動側広告はさみ２の端部近傍に設けられたスリット２ｂから外部に突出する操作部６ｃと、これら持ち上げ部６ａと操作部６ｃとを接続する延長部６ｂとからなり、支点となるビス７によって、「てこ」のように揺動可能な構成とされている。従って、開いた状態で掛止された広告はさみ１，２どうしの間の所定位置に広告紙を挿入した後は、広告吊り具１０の端部（図示左方）に位置する係合解除レバー６の操作部６ｃを押し下げることにより、可動側係合部材５と固定側係合部材４の係合が解除され、板ばね３の付勢によって可動側広告はさみ２が固定側広告はさみ１に押し付けられることとなる。
【００２１】
以上の構成により、本実施形態における広告吊り具１０は、広告紙の交換作業開始時に、可動側広告はさみ２が開いた状態で保持される。従って、本実施形態の広告吊り具は、両手を使って、広告紙の位置（水平）合わせを容易に行なうことができる。
【００２２】
また、この広告吊り具１０は、その長手方向端部に、前記開いた状態の広告はさみ２をワンタッチで元に戻す係合解除レバー６が配設されていることから、広告紙を水平に維持した両手を離すことなく、片方の手の操作だけで広告紙を所定位置に固定することができる。従って、本実施形態における広告吊り具は、正確かつスピーディに広告紙の交換を行なうことが可能になる。
【００２３】
なお、本実施形態では、広告吊り具に設ける係合手段および係合解除手段の一例を示したが、本発明における係合手段および係合解除手段の構成は、これらの例に限定されるものではない。例えば、係合手段の係合を解除する方法として、広告吊り具の端部近傍に、ボタンを用いたプッシュ式の係合解除手段等を設けても良い。
【００２４】
また、鉄道車両内におけるいわゆる「中吊り」広告のように、広告吊り具１０，１０’を枕木方向に並べて配置する場合は、図４に示すように、係合解除レバー６，６’が両端側に位置するように構成すれば良い。この配置により、２つの広告吊り具１０，１０’に跨る幅の広い広告紙であっても、その広告紙から両手を離すことなく固定することができる。
【図面の簡単な説明】
【００２５】
【図１】図１（ａ）は、本発明の実施形態における広告吊り具をレール方向から見た正面図であり、図１（ｂ）は、この広告吊り具を車両下面側から見た図である。
【図２】本発明の実施形態における広告吊り具の開閉状態を示す図１（ａ）のＸ−Ｘ線矢視断面図である。
【図３】図１（ａ）のＹ−Ｙ線矢視断面図である。
【図４】本発明の実施形態における広告吊り具を枕木方向に並べて配置する場合の構成例である。
【図５】鉄道車両内における従来の広告吊り具の使用例を示す図である。
【図６】図６（ａ）は、従来の広告吊り具の一端部を示す図であり、図６（ｂ）は、その開閉状態を示す図６（ａ）のＺ−Ｚ線矢視断面図である。
【図７】別の従来の広告吊り具の構成を示す断面図である。
【符号の説明】
【００２６】
１  固定側広告はさみ
１ａ  スリット
２  可動側広告はさみ
２ａ  爪部      ２ｂ  スリット
３  板ばね
４  固定側係合部材
４ａ  端部
５  可動側係合部材
５ａ  穴      ５ｂ  縁部
６  係合解除レバー
６ａ  持ち上げ部      ６ｂ  延長部      ６ｃ  操作部
７  ビス
１０，１０’  広告吊り具
１１  固定側広告はさみ
１２  可動側広告はさみ
１３  ヒンジ
１４  板ばね
２１  （固定側）広告はさみ
２２  （可動側）広告はさみ
２３  ヒンジ
２４  コイルばね
【図１】
2007094019.tif 000003
【図２】
2007094019.tif 000004
【図３】
2007094019.tif 000005
【図４】
2007094019.tif 000006
【図５】
2007094019.tif 000007
【図６】
2007094019.tif 000008
【図７】
2007094019.tif 000009